(57)【要約】【課題】十分な視差数でモアレを抑制し、平面的及び立体的画像表示を切り替えた際に解像度が変わらない有機ＥＬ立体表示装置を提供することにある。【解決手段】有機ＥＬ表示装置と視差バリアから構成される立体表示装置においては、その表示面に補助配線が水平方向に延出し、また、垂直方向には、要素画像境界に延出して配置され、発光部が略円形の画素が同一行において同一ピッチで配列され、互いに隣接する行の画素はその水平方向の位相がシフトして配置され、垂直方向で最も近い位置にある同色の画素同士がその水平方向の位相がシフトして配置され、ｎ×ｎの画素群は立体画像表示時には、ｍ×ｍ個まとめて水平方向にｎ×ｍ視差或いはｎ×ｍ×２視差を与えるように実効画素サイズ（ｎ×ｍ）×（ｎ×ｍ）として表示し、平面画像表示時には同色のｎ画素をまとめてｎ×ｎの画素を実効画素サイズとして表示している。【選択図】    図１
2005045323.tif 000002
【特許請求の範囲】
【請求項１】
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、及び
前記第１電極とは電気的に絶縁され、前記第２電極に電気的に接続され、前記表示面上に１又は複数の画素行毎に配置され、行方向に沿って延出される補助配線と、
を具備することを特徴とする立体表示装置。
【請求項２】
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、及び
前記第１電極とは電気的に絶縁され、前記第２電極に電気的に接続され、前記表示面上で前記要素画像境界に配置され、列方向に沿って延出される補助配線と、
を具備することを特徴とする立体表示装置。
【請求項３】
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、
前記第１電極とは電気的に絶縁され、前記第２電極に電気的に接続され、前記表示面上に１又は複数の画素行毎に配置され、行方向に沿って延出される第１の補助配線と、及び
前記第１電極とは電気的に絶縁され、前記第２電極に電気的に接続され、前記表示面上で前記要素画像境界に配置され、列方向に沿って延出される第２の補助配線と、
を具備することを特徴とする立体表示装置。
【請求項４】
行方向に沿って延出される前記補助配線は、前記要素画像の水平方向の幅の略１／ｍ（ｍ＝１，２，３，・・・）の間隔で配置されることを特徴とする請求項１または請求項３のいずれかに記載の立体表示装置。
【請求項５】
前記画素は、その発光部が略円形に形成され、かつ同一行において同一ピッチで配列され、かつ互いに隣接する行の画素はその水平方向の位相がシフトされて配置されることを特徴とする請求項１乃至請求項４のいずれかに記載の立体表示装置。
【請求項６】
前記画素は、垂直方向に最も近い位置にある同色の画素同士がその水平方向の位相がシフトされて配置されることを特徴とする請求項５に記載の立体表示装置。
【請求項７】
ｎ×ｎ（ｎ＝３，４，・・・）の画素群を、立体画像表示時にはｍ×ｍ（ｍ＝１，２，３，・・・）個まとめて水平方向視差をｎ×ｍ視差あるいはｎ×ｍ×２視差として、また、実効画素サイズ（ｎ×ｍ）×（ｎ×ｍ）として表示し、平面画像表示時には同色のｎ画素をまとめてｎ×ｎの画素を実効画素サイズとして表示する画像信号生成手段を備えることを特徴とする請求項１、請求項４乃至請求項６のいずれかに記載の立体表示装置。
【請求項８】
前記画素が全て白色に発光し、前記視差バリアの前面に、時分割により赤、緑、青の波長域を透過する状態を切り替えるシャッタを備えることを特徴とする請求項１〜４項のいずれかに記載の立体表示装置。
【請求項９】
請求項１、請求項４乃至請求項６のいずれかに記載の立体表示装置に画像を表示する方法において、
ｎ×ｎ（ｎ＝３，４，・・・）の画素群を立体画像表示時にはｍ×ｍ（ｍ＝１，２，３，・・・）個まとめて水平方向視差をｎ×ｍ視差あるいはｎ×ｍ×２視差として、また、実効画素サイズ（ｎ×ｍ）×（ｎ×ｍ）として表示し、平面画像表示時には同色のｎ画素をまとめてｎ×ｎの画素を実効画素サイズとして表示することを特徴とする立体表示装置に画像を表示する方法。
【発明の詳細な説明】
【０００１】
【発明の属する技術分野】
本発明は、立体画像を表示する立体表示装置に係り、特に、補助電極を有する表示部を備えた立体表示装置に関する。
【０００２】
【従来の技術】
動画表示が可能な立体視画像表示装置、所謂、３次元ディスプレイには、種々の方式が知られている。近年、特にフラットパネルタイプで、且つ、専用の眼鏡等を必要としない方式の要望が高くなっている。このタイプの立体動画表示装置には、ホログラフィの原理を利用するものもあるが、実用化が難しく、直視型或いは投影型の液晶表示装置やプラズマ表示装置などのような画素位置が固定されている表示パネル（表示装置）の直前に表示パネルからの光線を制御して観察者に向ける光線制御素子を設置する方式が比較的容易に実現できる方式として知られている。
【０００３】
光線制御素子は、一般的にはパララクスバリア或いは視差バリアとも称せられ、光線制御素子上の同一位置でも角度により異なる画像が見えるように光線を制御している。具体的には、左右視差（水平視差）のみを与える場合には、スリット或いはレンチキュラーレンズが用いられ、上下視差（垂直視差）も含める場合には、ピンホールアレイ或いはレンズアレイが用いられる。視差バリアを用いる方式にも、さらに２眼式、多眼式、超多眼式（多眼式の超多眼条件）、インテグラルフォトグラフィー（以下、ＩＰと略記することがある）に分類される。これらの基本的な原理は、１００年程度前に発明され立体写真に用いられてきたものと実質上同一である。
【０００４】
ＩＰ方式でも多眼方式でも、通常は視距離が有限であるため、その視距離における透視投影画像が実際に見えるように表示画像を作成している。
【０００５】
ＩＰ方式では、眼の位置から見た場合の視差バリアピッチＰｓが画素間ピッチＰｐの整数倍でないため、ブラックマトリクスが無視できない場合には、モアレが見えることがある。特に、水平方向の開口率が小さいスリット或いはレンチキュラーレンズを使用するとモアレが見えやすい。視距離において眼に見える視差バリアピッチＰｓが画素間ピッチＰｐの整数倍である多眼式の場合でも視距離を前後に外れると同様の原理でモアレが見えるが、画素の水平方向の開口率が５０％で、且つ、デルタ配列であればモアレは解消でき、その他の画素形状でもモアレが解消できることが知られている（特許文献１）。また、レンチキュラーレンズを９．５度程度傾けることによりモアレが解消することも知られている（特許文献２）。デルタ配列や斜め方向のレンチキュラーレンズの利用により、水平方向の視差を垂直方向すなわち２行以上に振り分けて割り当てることも可能になり、縦横の解像度の差を小さくして、視差数をかせげるという利点もある。このほか、拡散フィルムやデフォーカスによってもモアレや色モアレが低減できることが知られている（特許文献３）。
【０００６】
立体画像を表示する場合、複数のカメラから撮像された映像など、元となる画像データは、通常の平面表示用画像データと同様に、画素配列は正方配列であり、画素形状は正方形であることから、高速画像処理によって立体画像に変換するためには、立体表示装置側においても実効画素が正方配列かつ正方形状であることが望ましい。立体表示装置において、水平方向と垂直方向の解像度を合わせるには、即ち、実効画素の縦横比を１にするには、カラーフィルタがストライプ配列の場合、視差数を３の倍数にする必要がある。しかし、このように視差数を設定する場合には、水平方向に沿ったカラーフィルタの色の周期と視差バリアの周期が近いため、色モアレが見える問題がある。その対策として、視差数を３の倍数からずらす方法があるが、実効画素の縦横比が１でなくなり、画像を変換する必要が生じる。他の対策として、カラーフィルタをモザイク配列にする方法も提案されている。
【０００７】
従来の立体表示装置では、視差画像を表示する表示装置として、液晶表示装置或いはプラズマ表示装置が主に使用されている。近年、有機エレクトロルミネッセンス表示装置（有機ＥＬ、有機ＬＥＤ、ＯＬＥＤなどと略される）の開発がすすみ、実用化されつつある。有機ＥＬ表示装置も、表示面上の画素の位置が固定されているため、立体表示装置に使用するのに適している。
【０００８】
有機ＥＬ表示装置は、ＥＬ発光を外部に取り出す方式として、下面発光方式及び上面発光方式が提案されている。
【０００９】
下面発光方式の有機ＥＬ表示装置は、比較的製作が容易であるものの、支持基板に形成されたポリシリコン薄膜トランジスタなどのＴＦＴ回路でアクティブ駆動する場合には、特に、ＥＬ発光の透過を阻止する下地回路が配置されるため、十分な開口率や解像度を確保することが難しくなるという欠点がある。
【００１０】
これに対して、上面発光方式の有機ＥＬ表示装置は、下地回路の占有面積に制約されず、有機ＥＬ素子の開口率を確保できる。
【００１１】
しかし、上面発光方式の自己発光型表示装置では、上部電極の抵抗が高くなることに起因して、表示エリア面内で上部電極電圧が不均一となり、表示品質の低下を招くおそれがある。このような表示ムラの発生を抑制し、表示品位を向上することを可能とする方法として、表示素子に共通に形成されている透明な第２電極と電気的に接続された補助配線を設置する方法が提案されている（特許文献４）。
【００１２】
有機ＥＬ表示素子に限らず、表示素子の解像度を高める方法として、空間分割でなく時分割により３原色を表示する方法が提案されている（特許文献５）。高フレームレートのモノクロ表示装置の前面に時分割カラーシャッタを設置する方法が一般的である。カラーシャッタは、進相軸（遅相軸）が面内でスイッチング可能な１／２波長板として機能する液晶セルを２枚使用し、液晶セル間と外側の３ケ所に色偏光フィルム又は多層位相差フィルムを設置する方式のものがよく知られている。ＣＲＴは、表示が高速であり、シャドウマスクが不要なモノクロＣＲＴであれば解像度が高くできるため、カラーシャッタと組み合わせた製品がある。カラーシャッタと組み合わせるモノクロ表示装置は、通常の３０ｆｐｓ程度の動画表示レートに対して３倍の９０ｆｐｓで表示を行い、この表示レートに同期してシャッタは、赤、緑、青の波長域を透過する状態を切り替える。このような表示方法によって時分割でカラー画像を表示し色割れを低減することができる。
【００１３】
【特許文献１】
特開平７−１５７５２
【００１４】
【特許文献２】
特表２００１−５０１０７３
【００１５】
【特許文献３】
特開平８−１４９５２０
【００１６】
【特許文献４】
特開２００２−３１８５５３
【００１７】
【特許文献５】
特登３３００６４２号
【００１８】
【発明が解決しようとする課題】
上述のように、液晶表示素子を表示素子とする表示装置にあっては、モアレを解消する方法は、上述したいくつかの文献に開示されている。しかしながら、モアレ或いは色モアレを抑制し、且つ、画素の縦横比が１であると同時に正方配列とし、視差ごとの色情報を欠落させないことが困難である問題がある。
【００１９】
また、液晶表示素子を表示素子とする表示装置においては、平面的画像（２次元）表示と立体的画像（３次元）表示を切り替えたときに解像度が大きく変わるという問題が依然としてある。
【００２０】
更に、表示素子として有機ＥＬ表示素子が使用される場合は、補助配線が設けられ、画素が円形の表示素子をそのまま立体表示装置に適用した場合、視差数が十分確保できない、モアレや色モアレが発生するなどの問題がある。
【００２１】
以上詳述したように、有機ＥＬ表示素子をそのまま立体表示装置に適用した場合、視差数が十分確保できない、モアレや色モアレが発生するなどの問題がある。
【００２２】
この発明は、上記事情を考慮してなされたものであり、その目的は、視差数を十分確保し、モアレ或いは色モアレを抑制し、且つ、画素の縦横比を１であると同時に正方配列として視差ごとの色情報を欠落させず、平面的画像表示と立体的画像表示を切り替えても解像度が大きく変わらない有機ＥＬ立体表示装置を提供することにある。
【００２３】
【課題を解決するための手段】
この発明によれば、
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、及び
前記第１電極とは電気的に絶縁され、前記第２電極に電気的に接続され、前記表示面上に１又は複数の画素行毎に配置され、行方向に沿って延出される補助配線と、
を具備することを特徴とする立体表示装置が提供される。
【００２４】
また、この発明によれば、
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、及び
前記第１電極とは電気的に絶縁され、前記第２電極に電気的に接続され、前記表示面上で前記要素画像境界に配置され、列方向に沿って延出される補助配線と、
を具備することを特徴とする立体表示装置が提供される。
【００２５】
更に、この発明によれば、
表示面を有する自己発光型表示部と、及び
前記表示部からの光線方向を制御する複数の光学的開口部を有する視差バリアと、
前記表示部の前記表示面が前記光学的開口部夫々に対応した要素画像に分割される立体表示装置において、
前記表示部は、
基板と、
この基板上に配置され、信号線信号が与えられる複数の信号線と、
前記信号線に略直交して配置され、走査線信号が与えられる複数の走査線と、
前記基板上において行列に配置されて前記表示面を形成する複数の画素であって、前記画素毎に独立に前記基板側に形成される第１電極及び複数の画素に共通に前記表示面側に形成される第２電極を有し、この第１及び第２電極間に独立島状に形成される発光層を備える画素と、
その夫々が前記画素に直列に接続され、前記信号線と前記走査線の交点付近に配置され、その夫々が走査線信号及び信号線信号に応答して駆動信号を前記画素に供給して前記発光素子を自己発光させる複数のスイッチング素子と、
前記第１電極とは電気的に絶縁され、前記第２電極に電気的に接続され、前記表示面上に１又は複数の画素行毎に配置され、行方向に沿って延出される第１の補助配線と、及び
前記第１電極とは電気的に絶縁され、前記第２電極に電気的に接続され、前記表示面上で前記要素画像境界に配置され、列方向に沿って延出される第２の補助配線と、
を具備することを特徴とする立体表示装置が提供される。
【００２６】
尚、表示面とは、表示装置を直接見た場合に見える発光部と遮光部の表面であるとする。スイッチング素子等が設置される基板の、スイッチング素子等が設置される面に対向して、透明ガラス板等が設置される場合でも、その透明基板を通して見える発光部と遮光部の表面が表示面であるとする。
【００２７】
【発明の実施の形態】
以下、図面を参照して、この発明の実施の形態に係る立体表示装置を詳細に説明する。
【００２８】
（第１の実施の形態）
図１は、この発明の一実施の形態にかかる有機ＥＬ立体表示装置の表示部の構成を概略的に示す平面図である。
【００２９】
この図１に示すような有機ＥＬ表示装置においては、その表示部には、発光部が略円形、例えば、８角形状の画素３４が配列され、その発光部はブラックマトリクス３５で囲まれて略六方最密に配置されている。ここで、カラー画像を表示する表示装置にあっては、赤色光線を発光するＲ画素３４Ｒが一列に配置され、Ｒ画素３４Ｒに対して半ピッチＰｐ／２（半位相）だけシフトして緑色光線を発光するＧ画素３４Ｇが一列に配置され、Ｒ画素３４Ｒと同一位相で青色光線を発光するＢ画素３４Ｂが一列に配置され、これらＲ、Ｇ、Ｂの画素３４Ｒ、３４Ｂ、３４Ｇの行が列方向に配列され、これらＲ、Ｇ、Ｂの画素３４Ｒ、３４Ｂ、３４Ｇの間は、光線を吸収するブラックマトリクス３５で埋められて表示部の表示画面が構成されている。このように画素が隣接する行で配列がシフトされ、列がジグザグに形成されている。従って、表示画面では、モアレ或いは色モアレを防止して画像を表示することができる。水平位置がずれていてもジグザグをなす組は同一列とみなして画像情報が与えられる。この場合は隣接行の水平位置のシフトがちょうどＰｐ／２であるため、ジグザグをなす組を同一列とみなさずに、Ｐｐ／２の位置ごとに視差を付与した画像情報を与えることもできる。
【００３０】
尚、このようなカラー画像を表示するカラー画像表示装置においては、ＲＧＢの３つの画素３４で１実効画素、即ち、輝度と色が任意に設定できる最小単位が構成される。ＲＧＢのひとつひとつは、一般的にはサブピクセルと呼ばれることが多い。また、白黒の画像を表示する表示装置にあっては、サブピクセルの概念がなく、各行に発光する画素３４が１実効画素、即ち、輝度と色が任意に設定できる最小単位として配置され、同様に画素３４の間はブラックマトリクス３５で埋められている。この明細書においては、以下、一般的な呼称であるサブピクセル及びピクセルの概念を含めて単に画素３４として説明する。
【００３１】
図１に示される表示装置においては、３画素行毎に行方向（水平方向）に画素３４の発光部に比べて大きな幅を有する補助配線３１が設けられている。この補助配線３１が延出する領域下には、画素３４が形成されず発光領域には該当せず、画面内では光線を遮る遮光部に相当している。従って、画面上では、実質的な遮光部が水平方向に延在されていることとなる。また、列方向（垂直方向）にも補助配線４１が設けられる場合があるが、この補助配線４１は、立体画像表示時における要素画像境界４２に相当する領域を垂直方向に延出されている。図１に示される表示画面では、１５列１２行の画素３４で１実効画素４３（この１実効画素４３は、図１において黒枠で示されている。）が構成される。従って、このような表示部の構造では、水平方向のみに１５視差を与えることができる立体表示が可能となる。
【００３２】
尚、垂直方向にも視差を与える場合には、水平方向の実効画素境界４３を垂直方向の要素画像境界とみなし、垂直方向に４視差を割り当て、水平方向と掛け合わせて合計６０視差を与えることも可能である。また、Ｐｐ／２の位置ごと（１行おきに縦に並ぶ６画素）に視差を付与して、水平方向を３０視差（ｎ×ｍ×２視差）とすることもできるが、さらに上記と同様に垂直方向にも視差を与える場合には、垂直方向は２視差となるため、掛け合わせた合計視差数は同じく６０視差となる。
【００３３】
図１に示される表示画面では、３画素行毎及び要素画像境界４２毎に補助配線３１、４１が配置されるように描かれているが、この遮光部に相当する補助配線３１、４１は、すべて設置される必要はなく、数本間隔（３ｎ画素行毎或いはｐ要素画像境界毎［ここで、ｎ，ｐは、整数］）に設けられても良い。この表示構造では、水平方向のみに１５視差がある立体表示が可能であり、多眼式の場合は１５眼となり、補助配線４１は、表示面内において１５列間隔で設けられる。ＩＰ方式の場合は、例えば１５画素ピッチが視差バリアピッチＰｓに等しく平行光線の組ができるような設計においては１５画素幅よりわずかに大きい間隔（例えば１５．０２）で要素画像境界４２が生じることから、補助配線４１は、表示面内において１５列間隔で或いは１６列毎に設けられる。
【００３４】
尚、要素画像境界４２の画素を補助配線３１に代えて画素列が配置されれば、１６視差を与える表示が可能となる。
【００３５】
後述のように高精細の有機ＥＬ表示装置では、上面発光構造で、上面に補助配線３１、４１が設置されているが、このように水平方向に沿って補助配線３１、４１を設置することにより立体表示装置に必要な水平解像度を確保することができる。要素画像境界４２に補助配線４１を設置しても、視差数が１つ減るが、解像度に影響を与えることはなく、視域がわずかに狭くなるだけですむ。要素画像境界４２にも、補助配線４１を配置した場合は、この補助配線４１のピッチＰｅが画像の実効的な水平解像度を決めるため、立体画像表示時も、また、視差のない平面画像表示時も、同じ実効水平解像度で表示する方法をとれば、表示ムラなどの問題は発生せず、正常な画質で表示することができる。従って、解像度を決定する実効的な画素は、４３の範囲に配置される１２×１５の画素群となる。
【００３６】
実効画素４３が縦横比１かつ正方配列であることから、垂直方向は、水平方向と実質同じ実効解像度で表示することができる。従って、表示画像の作成が容易となり、各画素に与える表示情報を比較的高速に求めることができる。垂直方向は、補助配線３１が３行毎に配置されることから、最大解像度は線３２の間隔により決定され、実質的に水平方向より高い解像度で表示することもできる。このような表示では、実感される解像度は、実効水平解像度よりも高くなる。
【００３７】
図２に示される表示画面例では、図１とは異なり、要素画像境界４２には、補助配線４１が設けられていない。また、この表示画面の例では、画素の発光部は、略円形でやや横長の形状で略六方最密配置されている。視差数を３の倍数にすれば、カラー表示画面において、垂直解像度と水平解像度とを一致させることが可能である。この図２には、視差数を１２視差とする要素画像境界４２が示されている。要素画像境界４２は、補助配線４２が設けられず、従って、この補助配線４２による制約がないため、視距離或いは視差数（解像度）と表示画像を変えることにより要素画像境界４２の位置を変えることも可能である。矩形の枠で示す範囲４３ａ、この範囲４３ａよりも大きな範囲４３ｂは、垂直解像度と水平解像度を同じにする場合の実効画素のグルーピング例を示している。図２に示される表示画面では、３行３列（ｎ＝３）の画素３４で画素群を構成し、垂直方向に沿って４個（ｍ＝４）の画素群が配列され、水平方向に沿って４個（ｍ＝４）の画素群が配列される例を示し、この例では、水平方向に３×４個の視差が与えられる。より抽象化すれば、図２に示される表示画面では、ｎ行ｎ列（ｎ×ｎ：ｎ＝３，４，・・・）の画素３４で正方形となる最小単位の画素群を構成し、垂直方向に沿ってｍ個（ｍ＝１，２，３，・・・）の画素群が配列され、水平方向に沿ってｍ個（ｍ＝１，２，３，・・・）の画素群が配列されて実効画素が構成される。この例では、水平方向にｎ×ｍ個の視差が与えられる。垂直方向にも視差を与える場合には、水平方向の実効画素境界４３ｂを垂直方向の要素画像境界とみなし、垂直方向に４視差を割り当て、水平方向と掛け合わせて合計４８視差を与えることも可能である。また、Ｐｐ／２の位置ごと（１行おきに縦に並ぶ６画素）に視差を付与して、水平方向を２４視差（ｎ×ｍ×２視差）とすることもできるが、さらに上記と同様に垂直方向にも視差を与える場合には、垂直方向は２視差となるため、掛け合わせた合計視差数は同じく４８視差となる。
【００３８】
立体画像表示時には、画素群の範囲４３ｂ（画素群がｎ＝３に相当する３行３列で構成され、範囲４３ｂ内には、４×４の画素群が配置される）が実効画素サイズとして利用され、視差のない平面画像表示時は、１つの画素群（画素群がｎ＝３に相当する３行３列で構成される。）が実効画素サイズとして利用され、表示の態様に応じて解像度を変えることも可能である。尚、多眼式の場合は１２眼として要素画像ピッチＰｅは、１２画素間ピッチＰｐと同じになるが、ＩＰ方式の場合は、一般的には画素間ピッチＰｐの整数倍にならない。ＩＰ方式のうち視差バリアピッチＰｓが画素間ピッチＰｐの１２倍で１２視差と呼ぶ場合でも要素画像ピッチＰｅは、１２画素間ピッチＰｐよりわずかに大きい値（例えば１２．０２）となる。従って、厳密には水平方向の解像度と垂直方向の解像度はわずかに異なるが、同じとして扱っても実用上ほとんど問題はない。
【００３９】
図３に示す表示画面例では、図２に示す表示画面と異なり、水平方向にもＲＧＢの画素が交互に並べられ、その周期を考慮して９視差の実効画素４３とし、発光部が六方最密から少しずれた「く」の字形の配列としている。即ち、３行３列の画素群に３つのＢ画素３４Ｂ、３つのＧ画素３４Ｂ及び３つのＲ画素３４Ｒが配置されるように、実効画素領域４３内の各行には、Ｂ画素３４Ｂ、Ｇ画素３４Ｂ及びＲ画素３４Ｒが配置され、繰り返し配置されている。各行の画素３４Ｒ、３４Ｇ、３４Ｂの配列は、隣接する行の画素３４Ｒ、３４Ｇ、３４Ｂの配列に対して半ピッチＰｐ／２より小さく位相がずれて配置されている。従って、各列では、画素３４Ｒ、３４Ｇ、３４Ｂが”く”の字を描くように配列されるが、水平位置がずれていても”く”の字をなす１組は同一列とみなしそれぞれ同一視差の画像情報が与えられる。この場合は隣接行の水平位置のシフトがＰｐ／２でないため、ジグザグをなす組を同一列とみなさずに、シフト位置ごとに視差を付与することは好ましくない。換言すれば、図３に示す実効画素領域４３内には、３行３列（ｎ＝３）の画素３４で正方形となる最小単位の画素群を構成し、垂直方向に沿って３個（ｍ＝３）の画素群が配列され、水平方向に沿って３個（ｍ＝３）の画素群が配列される例を示し、この例では、水平方向に３×３（ｎ×ｍ）個の視差が与えられる。垂直方向にも視差を与える場合には、水平方向の実効画素境界４３を垂直方向の要素画像境界とみなし、垂直方向に３視差を割り当て、水平方向と掛け合わせて合計２７視差を与えることも可能である。
【００４０】
図４に示す表示画面例では、画素群の最小単位がＲＧＢＢの４画素３４Ｒ、３４Ｇ、３４Ｂから構成されている。即ち、奇数行には、ＲＢの画素３４Ｒ、３４Ｂが交互に配置され、また、奇数行には、ＧＢの画素３４Ｇ、３４Ｂが交互に配置されている。有機ＥＬ素子では、発光色により発光効率が異なる場合、発光効率の低い発光色の画素の面積を大きくする必要があり、この例では、Ｂ画素３４Ｂの発光効率が低いとして単位表示面における青色発光の画素の面積を大きくして十分な輝度を得るようにしている。このように画素群の最小単位が４画素（ｎ＝４）であることから、補助配線３１が垂直方向に沿って４画素毎に設けられ、この周期で補助配線３１によって生ずる比較的幅広の遮光部が配置されることとなる。垂直方向における画素周期を考慮して４の倍数の視差数が好ましく、この図４では、水平方向に１２視差の実効画素４３となり、要素画像境界は４２で示される線により与えられる。換言すれば、図４に示す実効画素内には、４行４列（ｎ＝４）の画素３４で正方形となる最小単位の画素群を構成し、垂直方向に沿って３個（ｍ＝３）の画素群が配列され、水平方向に沿って３個（ｍ＝３）の画素群が配列される例を示し、この例では、水平方向に４×３（ｎ×ｍ）個の視差が与えられる。垂直方向にも視差を与える場合には、水平方向の実効画素境界４３を垂直方向の要素画像境界とみなし、垂直方向に３視差を割り当て、水平方向と掛け合わせて合計３６視差を与えることも可能である。なお、この場合は隣接行の水平位置のシフトがＰｐ／２であるが、Ｐｐ／２の位置ごと（１行おきに縦に並ぶ６画素）に不足する色成分があるため、シフト位置ごとに視差を付与することは好ましくない。
【００４１】
図５に示す表示画面例では、図４と同様に効率の低い発光色の画素、例えば、Ｂ画素の面積を大きくする例を示している。即ち、図５に示す配置例では、第１及び第３の行にＲ及びＧの画素３４Ｒ、３４Ｇが夫々配置され、この第１及び第３の行の間の第２の行にＲ及びＧのサブピクセルよりも大きな面積を有するＢ画素３４Ｂが配置され、この配置が水平方向に沿って繰り返されている。このような配置にあっても垂直解像度と水平解像度が一致するような画素配置にすることが望ましく、この図５では、６視差を与える実効画素４３が画面内に連続して配置される。換言すれば、図５に示す実効画素内には、３行３列（ｎ＝３）の画素３４で正方形となる最小単位の画素群を構成し、垂直方向に沿って２個（ｍ＝２）の画素群が配列され、水平方向に沿って２個（ｍ＝２）の画素群が配列される例を示し、この例では、水平方向に３×２（ｎ×ｍ）個の視差が与えられる。垂直方向にも視差を与える場合には、水平方向の実効画素境界４３を垂直方向の要素画像境界とみなし、垂直方向に２視差を割り当て、水平方向と掛け合わせて合計１２視差を与えることも可能である。また、Ｐｐ／２の位置ごと（１行おきに縦に並ぶＲＧＢの３画素）に視差を付与して、水平方向を１２視差とすることもできるが、さらに垂直方向に視差を与えることはできなくなる。
【００４２】
以上、図１〜図５を参照する説明では、水平方向に限らず、垂直方向にも視差を与えることができるとしている。垂直方向に視差を与える場合には、すでに述べたように水平方向の実効画素境界４３を垂直方向の要素画像境界とみなす方法があるほか、水平方向の補助配線３１を垂直方向の要素画像境界とみなし、垂直方向に３視差（ｎ＝３、但し、図４ではｎ＝４に相当する４視差）を割り当てる方法も可能である。但し、視差ごとの色情報はＲＧＢのうち１成分のみとなり、２成分は欠落することとなる。また、Ｐｐ／２の位置ごと（１行おきに縦に並ぶ６画素）に視差を付与して、水平方向を２倍の視差（ｎ×ｍ×２視差）とすることもできるとしたが、例えば３行にわたってＰｐ／３ずつ水平位置をずらして、水平方向を３倍の視差（ｎ×ｍ×３視差）とすることも不可能ではない。しかしこの場合は視差画像間（縦に並ぶ画素列の間）のクロストークが大きくなり、クロストークを抑制するために画素発光部の幅を補足すると輝度が犠牲になるなどの問題が発生するため、好ましくない。
【００４３】
図６に示す画面例では、水平方向に３の倍数の視差を割り当て、水平方向の補助配線３１を垂直方向の要素画像境界とみなして垂直方向に３視差の割り当てが可能な画素配置が示されている。また、図６に示す画面例では、色情報は一部欠落するが、垂直方向と水平方向でバランスがとれ同程度の欠落に留めることができる。補助配線３１は、略水平方向に延出されるが、直線状に延出されず、３画素に相当する周期でジグザグを描く形状に延出されている。
【００４４】
以上、図１〜図６を参照する例では、水平方向に延出する補助配線は、要素画像の水平方向の幅の１／ｍ（ｍ＝１，２，３，・・・）の間隔で配置されている。このような構成によって、立体表示および平面表示のいずれの場合においても実効的な画素の縦横比が１になり、かつ実効的な画素が正方配列になり、容易に高速な画像処理が可能となる。
【００４５】
次に、図１〜図６に示す表示部を実現する有機ＥＬ表示装置の構造について、図７〜図９を参照して説明する。
【００４６】
有機ＥＬ表示装置は、図７に示すようにアレイ基板２００を備え、アレイ基板２００は、画像を表示する表示エリア２０９を有している。この表示エリア２０９には、赤、緑及び青にそれぞれ発光する３種類の発光部、即ち、有機ＥＬ素子２０３がマトリクス状に配置されている。図７には、図面を簡略化するために、１個の有機ＥＬ素子２０３のみが図示されている。
【００４７】
各画素３４Ｒ、３４Ｂ、３４Ｇを構成する有機ＥＬ素子２０３は、図８に示されるように素子毎に独立島状に形成される。即ち、有機ＥＬ素子２０３は、第１電極１０７と、第１電極１０７に対向して配置され各素子２０３に共通に形成される第２電極１１１と、これら電極１０７，１１１間に保持される発光層１１０としての有機発光層とによって構成される。
【００４８】
各画素３４Ｒ、３４Ｂ、３４Ｇには、２つの薄膜トランジスタ、即ち、ＴＦＴ２０１及び２０２と、蓄積容量素子２０４と、有機ＥＬ素子２０３とが設けられている。有機ＥＬ素子２０３は、スイッチング素子としてのＴＦＴ２０１を介して選択され、有機ＥＬ素子２０３に対する励起電力は、ＴＦＴ２０２により制御される。
【００４９】
また、アレイ基板２００には、有機ＥＬ素子２０３の行方向に沿って配置された複数の走査線２１３と、列方向に沿って配置された複数の信号線２０６と、有機ＥＬ素子の第１電極側１０７に電源を供給するための電源供給線２０５とが形成されている。
【００５０】
更に、アレイ基板２００の周辺部には、走査線２１３に走査線信号を供給する走査線駆動回路２１２と、信号線２０６に信号線信号を供給する信号線駆動回路２１１と、が設けられている。走査線２１３は、走査線駆動回路２１２に接続され、信号線２０６は、信号線駆動回路２１１に接続されている。
【００５１】
ＴＦＴ２０１は、走査線２１３と信号線２０６との交差部近傍に配置され、そのゲートが走査線２１３に接続され、そのソースが信号線２０６に接続され、そのドレインがＴＦＴ２０２のゲートに接続されている。ＴＦＴ２０２は、有機ＥＬ素子２０３の第１電極１０７に直列に接続され、そのソースが電源供給線２０５に接続され、そのドレインが有機ＥＬ素子２０３に接続されている。また、蓄積容量素子２０４は、ＴＦＴ２０１に直列に、且つ、ＴＦＴ２０２に並列に接続されている。即ち、蓄積容量素子２０４は、ＴＦＴ２０２のゲートに接続されるＴＦＴ２０１のドレイン及びＴＦＴ２０２のソース間に接続されている。
【００５２】
電源供給線２０５は、表示エリア２０９の周囲に配置された第１電極電源線２０７，２０８に接続されている。有機ＥＬ素子２０３の第２電極１１１側端は、表示エリアの周囲に配置されコモン電位、即ち、接地電位を供給する第２電極電源線２１０に接続されている。
【００５３】
図８は、図９に示した有機ＥＬ表示装置の構造を概略的に示す断面図である。この図８は、１画素分の有機ＥＬ素子のみの構造を示している。有機ＥＬ表示装置においては、支持基板１０２としてのガラス基板などの絶縁性基板上にポリシリコンＴＦＴ１０１等が集積化されている。このＴＦＴ１０１では、支持基板１０２上にポリシリコン半導体層１０１ｄが形成され、ポリシリコン半導体層１０１ｄ上に第１絶縁膜１０３が形成され、この第１絶縁膜１０３上には、ゲート電極１０１ｃ及び第２絶縁膜１０４が形成されている。また、第１絶縁膜１０３及び第２絶縁膜１０４を介してポリシリコン半導体層１０１ｄのソース領域にコンタクトしたソース電極１０１ｂが第２絶縁膜１０４上に設けられ、第１絶縁膜１０３及び第２絶縁膜１０４を介してポリシリコン半導体層１０１ｄのドレイン領域にコンタクトしたドレイン電極１０１ａが第２絶縁膜１０４上に設けられている。この第２絶縁膜１０４上には、更に第３絶縁膜１０５が設けられている。
【００５４】
第２絶縁膜１０４上に配置された第３絶縁膜１０５上には、ドレイン電極１０１ａに電気的に接続された反射金属層１０６が設けられ、反射金属層１０６には、これに電気的に接続された第１電極１０７が配置されている。１画素分の有機ＥＬ素子２０３は、格子状に配置された隔壁１０８によって区画され、この有機ＥＬ素子２０３は、電気的に接続される第１電極１０７を透明導電材料であるＩＴＯを陽極とし、隔壁１０８及び有機ＥＬ素子２０３上に設けられ、同様に透明導電材料で作られた第２電極１１１を陰極とし、有機ＥＬ素子２０３からの光線は、第１電極１０７を介して反射金属層１０６から反射され、第１電極１１１を介して素子外に放出される。
【００５５】
既に説明したように、有機発光層１１０は、下部に配置された第１電極１０７と、上部に配置された第２電極１１１との間に挟持されている。尚、有機発光層１１０は、各色共通に形成されるホール輸送層、エレクトロン輸送層、及び各色毎に形成される発光層の３層積層で構成されても良く、機能的に複合された２層又は単層で構成されても良い。発光層１１０は、ホール輸送層上に配置され、赤、緑、又は青に発光する有機化合物によって形成されている。この発光層１１０は、例えば、高分子系材料を採用する場合には、ＰＰＶ（ポリパラフェニレンビニレン）やポリフルオレン誘導体又はその前駆体などを積層して構成されている。
【００５６】
第２電極１１１は、隔壁１０８及び有機発光層１１０上に各有機ＥＬ素子に共通に配置され、光透過性を有する導電膜によって形成されている。ここでは、第２電極１１１を陰極とするので、例えば、Ｃａ（カルシウム）は、光透過性を有する程度に薄く、およそ３０ｎｍの厚さで形成される。なお、Ｃａ上にＩＴＯなどの透明導電膜が更に積層されても良い。
【００５７】
このような構造を有する有機ＥＬ素子２０３では、走査線駆動回路２１２から走査線２１３に走査信号が与えられ、信号線駆動回路２１１から信号線２０６に信号線信号が与えられると、ＴＦＴ２０１がオンされてＴＦＴ２０２に画素駆動信号が与えられる。この駆動信号電圧は、キャパシタ２０４で維持され、ＴＦＴ２０２を介して電源供給線２０５から電源電圧が駆動信号に応じて有機ＥＬ素子２０３の第１電極１０７に印加される。従って、この第１電極１０７と接地されている第２電極１１１との間に挟持された有機発光層１１０に電子及びホールが注入され、これらが再結合されることにより励起子が生成され、この励起子の失活時に生じる所定波長の光放出により発光される。このＥＬ発光では、アレイ基板２００の表示面側、即ち、第２電極１１１側から各色の光線が出射される。この構造は、一般的に上面発光方式と呼ばれる。
【００５８】
上述した有機ＥＬ素子構造では、第２電極側１１１からＥＬ発光を出射させる必要があるため、第２電極１１１は、光透過性を有する導電性部材によって形成される。この光透過性導電性部材は、材料自体の透明度が高い透明導電材料を用いて形成し、或いは、材料自体の透明度の低い材料が薄く形成されて透過性を持たせるように形成することができる。
【００５９】
このような光透過性導電性部材をシート状に成膜する第２電極１１１として適用した場合、表示エリア２０９面内で電位が異なり、表示ムラなどの表示不良を発生するおそれがある。そこで、第２電極１１１に電気的に接続され、表示エリア２０９に補助配線１０９が配置される。この補助配線１０９は、例えば、表示エリア２０９における各画素を電気的に分離する隔壁１０８上に設けられ、隣接する表示素子２０３を互いに電気的に連結して配置されている。また、各補助配線１０９は、図７に示すように、第２電極１１１に電源を供給するための第２電極電源線２１０に共通に電気的に接続され、表示エリア２０９の全体に亘って互いに連結されている。これにより、補助配線１０９には、第２電極１１１と同様に、接地電位が供給される。この補助配線１０９は、図９に示すように隔壁１０８上を行方向に沿って延出される補助配線２１４（図１〜図６における補助配線３１に相当する）及び列方向に沿って延出される補助配線２１５（図１〜図６における補助配線４１に相当する）として実現され、両補助配線２１４，２１５は、第２電極電源線２１０に接続され、表示エリア２０９に格子状に配置される。
【００６０】
この補助配線１０９は、例えばアルミニウム（Ａｌ）をモリブデン（Ｍｏ）でサンドイッチした構造を有している。補助配線１０９は、他の金属材料で構成しても良い。抵抗の低い補助配線１０９により、上部電極１１１の抵抗による画面面内の電圧ばらつきが抑制され、表示エリア２０９の全域にわたって均一な上部電極電位を供給することが可能となる。従って、表示ムラの発生を抑制し、表示品位を向上することが可能となる。
【００６１】
この有機ＥＬ表示装置によれば、支持基板１０２上に回路素子を集積し、この回路素子上に有機ＥＬ素子を配置し、支持基板１０２と対向する側に透過性を有する電極１１１を配置して、ＥＬ発光をこの光透過性電極１１１から取り出している。このような上面発光方式を採用したことにより、回路素子の占有面積にかかわらず、高い開口率と精細度を確保することが可能となる。
【００６２】
上述した上面発光方式で、画素の発光部の形が円形に近い有機ＥＬ表示素子を使用する場合は、必須となる補助配線３１，１０９を水平方向に配置すれば、高精細が必要な水平方向に障害となる比較的幅の広い遮光部がなく、立体表示素子としての視差数を十分確保できる。補助配線３１，１０９は、垂直方向の実効解像度に対応するｎ画素おきに配置すればよく、要素画像の水平方向の幅の１／ｍ（ｍ＝１，２，３，・・・）の間隔で配置されることが特に望ましいが、そのうち補助配線３１，１０９を設置せず遮光部のみを設置する箇所があってもよい。垂直方向でも、要素画像境界４２は比較的立体視の障害になりにくいため、この部分にも補助配線４１，１０９による比較的広い遮光部を設置してもよいが、この場合平面表示と立体表示の切り替えが同じ解像度でしかできなくなる。要素画像境界に設置する場合、その幅は画素と同じかそれ以下であることが望ましい。
【００６３】
次に、多眼式及びＩＰ方式の視差画像配置による立体表示について図１０〜図１６を用いて説明する。この図１０〜図１６に示す立体画像の表示は、図１〜図９を参照して説明した表示装置によって実現される。
【００６４】
ＩＰ方式においても、また、多眼方式においても、通常は、視距離が有限であるため、その視距離における透視投影画像が実際に見えるように表示画像が作成される。一般に、画素とスリットとを結ぶ線と視距離面との交点毎に透視投影画像が作成される。ここで、画素に代えて画素列とスリットを結ぶ面と視距離面との交線における視点と画素毎に透視投影画像が作成されても良い。
【００６５】
図１０は、立体表示装置の全体を概略的に示す斜視図であり、図１１は、図１０に示した立体表示装置の表示部を基準にして垂直面内及び水平面内における光線軌跡を概略的に示す展開図である。
【００６６】
図１０及び図１１に示すように、立体表示装置は、平面表示装置としての有機ＥＬ表示装置３３１及び光学的開口を有する視差バリア３３２、３３４を備えている。視差バリア３３２、３３４は、後に説明するようにスリット３３２或いはレンチュキュラーレンズ３３４で構成されるが、スリット３３２及びレンチュキュラーレンズ３３４は、一種の光学的開口に相当する。この立体表示装置においては、水平方向の視角３４１及び垂直方向の視角３４２の範囲内において、眼の位置から視差バリア３３２、３３４を介して表示装置３３１を観察して平面表示装置３３１の前面及び背面に立体像を観察することができる。ここでは、有機ＥＬ表示装置３３１の画素数は、正方形となる最小単位の画素群で数えた場合の一例として横方向（水平方向）が３２００であり、縦方向（垂直方向）が２４００であり、各最小単位の画素群は、赤、緑、青（ＲＧＢ）の画素を含んでいるものとする。視差バリア３３２、３３４としては、略垂直方向に延び、略水平方向に周期的に配列されるスリット３３２又はレンチキュラーレンズ３３４が使用される。図１２或いは図１３に示すようにスリット３３２又はレンチキュラーレンズ３３４の水平方向のピッチＰｓ（周期）は、正確に整数画素分に定められている。即ち、各スリット３３２の中心を通る中心軸３５１又は隣接するレンチキュラーレンズ３３４の境界を通る基準軸３５２は、画素４１の境界を通り、中心軸３５１或いは基準軸３５２間に相当する領域には、整数個の画素４１が配置され、中心軸３５１或いは基準軸３５２の水平方向のピッチＰｓ（周期）は、一定に定められている。図１２に示す例では、このピッチＰｓは、１６画素分に定められている。表示装置の表示面３３１と視差バリア３３２、３３４との間のギャップｄは、ガラス基板或いはレンズ材質の屈折率を考慮して実効的に約２ｍｍに定められている。このように、視差バリア３３のピッチＰｓ（距離の差によって眼に見えるピッチＰｓでなく、視差バリア３３２、３３４の実際のピッチＰｓ）が画素間ピッチＰｐの整数倍となっているものは、すでに説明したように一般的に多眼式に分類されず、１次元インテグラルフォトグラフィーに分類され、平行光線の組ができるために立体画像作成効率がよいという特徴がある。
【００６７】
図１１において、視差バリア３３２と視距離面３４３との間の視距離Ｌ、視差バリアピッチＰｓ、視差バリアギャップｄが定められれば、要素画像６１のピッチＰｅが視距離面３４３上の視点からアパーチャ中心を表示素子上に投影した間隔により決定される。符号３４６は、視点位置と各アパーチャ中心とを結ぶ線を示し、視域幅Ｗは表示装置の表示面上で要素画像同士が重なり合わないという条件から決定される。
【００６８】
尚、１次元ＩＰ方式にあっては、この直線３４６は、表示装置の表示面上では各画素の中心を通るとは限らないことに注意されたい。これに対し、多眼方式では、視点位置と各アパーチャの中心とを結ぶ線は、画素中心を通り、光線軌跡に一致している。アパーチャの水平ピッチＰｓが画素の整数倍の場合では、要素画像のピッチＰｅは、画素の整数倍から大きめにずれた端数を伴っている。アパーチャの水平ピッチＰｓが画素の整数倍でなくても、一般的に１次元ＩＰでは、要素画像のピッチＰｅは、画素の整数倍からずれた端数を伴うこととなる。これに対し多眼では要素画像のピッチＰｅは画素の整数倍となる。
【００６９】
図１４及び図１６は、それぞれＩＰ方式及び多眼式における表示装置の表示面内における画像の配置方法を示している。表示装置の表示面は、各アパーチャ（視差バリアの開口部）に対応する要素画像３７０に分けられ、要素画像は、ＩＰ方式においてそれぞれ１６列又は１７列の画素列から構成されている（本来要素画像幅は画素幅の１６倍と１７倍の間の端数だが、デジタル的に割り当てるため位置により１６倍又は１７倍としている）。視差割り当て可能な画素列は、例えば、画素が３×３の円形のサブ画素から成っているとすれば９６００列、アパーチャ数は６００（図１４及び図１６において、符号３６４で示す領域に記述されるアパーチャ番号の範囲は、＃−３００〜＃−１，＃１〜＃３００）であり、アパーチャピッチＰｓは、１６画素列の幅と等しい。図１４及び図１６において、各画素列３６５には、対応する視差番号（この例では、視差番号−１８〜−１，１〜１８の３６方向分）が符号３６３で示す領域に項目として示されている。アパーチャ番号＃１の要素画像は、視差番号−８〜−１，１〜８の１６視差の画素列からなり、アパーチャ番号＃−２９９の要素画像は、視差番号−１８〜−３の１６視差の画素列からなる。要素画像幅が１６画素列の幅よりわずかに大きいため、要素画像境界を最も近い画素列境界に合わせる（通常のＡ−Ｄ変換方法）とすると、アパーチャに対する画素列数は、大部分のアパーチャにおいて１６列であるが、１７列になっているアパーチャも出てくる。１７列になるアパーチャ番号を境に、アパーチャ内の視差番号範囲が１つずつシフトされている。１７列になっているアパーチャ番号は、＃１６，＃４７，＃７９，＃１１０，＃１４１，＃１７２，＃２０４，＃２３５，＃２６６，＃２９７番（及びそのマイナスの番号）である（視距離１ｍの場合）。図１４の横線を施した画素列は、要素画像境界４２を含む画素列であり、前述のようにこの画素列が補助配線４１（遮光部）に置き換えられても良い。この画素列は、水平断面を示した図１２及び図１３では、符号４１を付している。
【００７０】
多眼式の場合においては、要素画像幅は、すべて１６画素列の幅からなるが、図１６の横線を施した要素画像内で最も端の画素列（１６番視差）は、補助配線４１（遮光部）に置き換えても良い。この画素列は、水平断面を示した図１５における符号４１で示した箇所に相当する。
【００７１】
以上のように、この発明の実施例に係る立体表示装置によれば、視差数を十分確保し、モアレ或いは色モアレを抑制し、且つ、画素の縦横比を１であると同時に正方配列として視差ごとの色情報を欠落させず、平面的画像表示と立体的画像表示を切り替えたときに解像度が大きく変わらない、という条件を同時に満たすことが可能となる。
【００７２】
また、画素の発光部が円形、或いは、鈍角により形成される多角形で、かつ同一行において同一ピッチで配列され、かつ互いに隣接する行の画素はその水平方向の位相がシフトされて配置されていれば、視差バリアを通して見える遮光部の平均面積は、位置によらず略一定になるため、モアレが解消され、大形有機ＥＬ表示素子の高分子発光材料印刷工程にも適する。補助配線の幅も含めてｎ×ｎの画素群が正方形を形成するためには、画素は円形よりも横に長い楕円形や多角形であってもよい。
【００７３】
更に、垂直方向に最も近い位置にある同色の画素同士がその水平方向の位相がシフトされて配置されていれば、さらに視差バリアを通して見える色成分も位置によらずほぼ一定になるため、色モアレも発生せず、視差ごとの色情報も欠落しない。
【００７４】
ｎ×ｎ（ｎ＝３，４，・・・）の画素群を、立体画像表示時にはｍ×ｍ（ｍ＝１，２，３，・・・）個まとめて水平方向視差をｎ×ｍ視差あるいはｎ×ｍ×２視差として解像度に対応する実効画素サイズ（ｎ×ｍ）×（ｎ×ｍ）として表示すれば、モアレや色モアレを抑制しかつ画素の縦横比が１であると同時に正方配列になり視差ごとの色情報が欠落しないという条件を同時に満たすことが可能となる。
【００７５】
また、平面画像表示時には、同色のｎ画素をまとめてｎ×ｎの画素を実効画素サイズとして表示する画像信号生成手段を設置すれば、視差のない平面的画像表示と立体的画像表示を切り替えたときにそれぞれ最も効率のよい解像度とすることができ、いずれの場合も画素の縦横比が１であると同時に正方配列となるために高速な画像処理の点でも好適である。平面的画像表示と立体的画像表示とでは解像度がｍ倍に変わるが、ｍが１のときには、解像度は不変であり、解像度の変化を視差数より小さい倍数に抑えることができる。
【００７６】
（第２の実施の形態）
図１７を参照して、この発明の第２の実施の形態に係る立体表示装置を説明する。この立体表示装置は、第１の実施形態における図１〜図３の各画素が全て白色に発光するものとし、視差バリア３３２、３３４の前面に時分割カラーシャッタ４０１を備えている。
【００７７】
カラーシャッタ４０１は、従来よく知られているものと同様であり、進相軸（遅相軸）が面内でスイッチング可能な１２波長板として機能する液晶セルを２枚使用し、液晶セル間と外側の３ケ所に色偏光フィルム又は多層位相差フィルムを設置されている。有機ＥＬによるモノクロ表示装置は、通常の３０ｆｐｓ程度の動画表示レートに対して３倍の９０ｆｐｓ（更に、その２，３倍であってもよい）で表示することができ、この表示レートに同期してシャッタは、赤、緑、青の波長域を透過する状態を切り替えることができ、このような表示方法によって時分割でカラー画像を表示することができる。有機ＥＬ表示装置は高速応答であるため、白色発光とカラーシャッタと組み合わせた際に、時分割カラー表示が容易に可能である。
【００７８】
立体表示装置として構成するには、視差バリア３３２、３３４及びカラーシャッタ４０１が有機ＥＬ表示装置の前面に設置される。いずれを前面に設置しても時分割でのカラー画像の表示は可能であるが、カラーシャッタ４０１を最前面にすることが好ましい。視差バリア３３２、３３４開口部が要素画像を見込む角度が大きくなることから画角が広がり、連続的に立体視できる範囲（図１１における視域幅Ｗに相当）を広げることができるためである。このような立体表示装置によれば、色情報を全く欠落させることなく実効的な解像度を高めることができる。色モアレも発生させることもない。高速応答が特徴である有機ＥＬ表示装置に適した方式である。
【００７９】
尚、この発明は、上記実施形態そのままに限定されるものでなく、実施段階では、その要旨を逸脱しない範囲で構成要素を変形して具体化できる。
【００８０】
また、上記実施形態に開示されている複数の構成要素の適宜な組合せにより種々の発明を形成できる。例えば、実施形態に示される全構成要素からいくつかの構成要素を削除してもよい。更に、異なる実施形態に亘る構成要素を適宜組み合わせてもよい。
【００８１】
【発明の効果】
以上詳述したように、本発明によれば、視差数を十分確保でき、モアレや色モアレが抑制されかつ画素の縦横比を１であると同時に正方配列としとして視差ごとの色情報が欠落せず、平面的画像（２次元）表示と立体的画像（３次元）表示を切り替えたときに解像度が大きく変わらない、という条件を同時に満たすことができる。
【図面の簡単な説明】
【図１】この発明の実施形態に係る立体表示装置の表示面におけるある画素配置方法を適用した画素配列を概略的に示す平面図である。
【図２】この発明の実施形態に係る立体表示装置の表示面における第２の画素配置方法を適用した画素配列を概略的に示す平面図である。
【図３】この発明の実施形態に係る立体表示装置の表示面における第３の画素配置方法を適用した画素配列を概略的に示す平面図である。
【図４】この発明の実施形態に係る立体表示装置の表示面における第４の画素配置方法を適用した画素配列を概略的に示す平面図である。
【図５】この発明の実施形態に係る立体表示装置の表示面における第５の画素配置方法を適用した画素配列を概略的に示す平面図である。
【図６】この発明の実施形態に係る立体表示装置の表示面における第６の画素配置方法を適用した画素配列を概略的に示す平面図である。
【図７】本発明の実施形態にかかる有機ＥＬ表示装置の配置を概略的に示す模試的回路図である。
【図８】この発明の実施形態にかかる有機ＥＬ表示装置の画素構造を概略的に示す断面図である。
【図９】この発明の実施形態にかかる有機ＥＬ表示装置における第２電極に電気的にコンタクトされる補助配線の配線例を概略的に示す平面図である。
【図１０】この発明が適用される立体表示装置を概略的に示す斜視図である。
【図１１】図１０に示す表示装置における要素画像ピッチＰｅと視差バリアピッチＰｓと視差バリアギャップｄと視距離Ｌと視域幅Ｗの関係を示す模式図である。
【図１２】インテグラルフォトグラフィー方式の画素と要素画像と視差バリアの位置関係を示す模式図である。
【図１３】この発明の実施形態にかかるインテグラルフォトグラフィー方式の画素と要素画像と視差バリアの位置関係を示す模式図である。
【図１４】この発明の実施形態にかかるインテグラルフォトグラフィー方式の立体表示装置の画像配置方法を示す模式図である。
【図１５】多眼方式の画素と要素画像と視差バリアの位置関係を示す模式図である。
【図１６】この発明の実施形態にかかる多眼方式の立体表示装置の画像配置方法を示す模式図である。
【図１７】この発明の他の実施形態にかかる時分割カラー表示方式の立体表示装置を概略的に示す斜視図である。
【符号の説明】
３１  …  水平方向の補助配線、３２  …  垂直方向の最大解像度を示す線、３４  …  画素、３５  …  ブラックマトリクス、４１  …  要素画像境界の補助配線、４２  …  要素画像境界、４３  …  立体表示時の実効画素、１０１  …ＴＦＴ、１０６  …  金属反射層、１０７  …  第１電極、１０８  …  隔壁、１０９  …  補助配線、１１０  …  有機発光層、１１１  …  第２電極、２０１，２０２  …  ＴＦＴ、２０３  …  有機ＥＬ素子、２０４  …  蓄積助容量素子、２０５  …  電源供給線、２０６  …  信号線、２０７，２０８  …  第１電極電源線、２０９  …  表示エリア、２１０  …  第２電極電源線、２１１  …  信号線駆動回路、２１２  …  走査線駆動回路、２１３  …  走査線、２１４，２１５  …  補助配線、３３１  …  有機ＥＬ表示装置、３３２  …  視差バリア、３３３  …  スリット、３３４  …  レンチキュラーレンズ、３３５  …  画素、３４１  …  水平方向の視角、３４２  …  垂直方向の視角、３４３  …  視距離面、３４６  …  視点とアパーチャ中心を結ぶ線、３６３  …視差画像の番号、３６４  …  アパーチャの番号、３６５  …  表示装置の表示面上の画素列、３７０  …  要素画像、４０１  …  時分割カラーシャッタ
【図１】
2005045323.tif 000003
【図２】
2005045323.tif 000004
【図３】
2005045323.tif 000005
【図４】
2005045323.tif 000006
【図５】
2005045323.tif 000007
【図６】
2005045323.tif 000008
【図７】
2005045323.tif 000009
【図８】
2005045323.tif 000010
【図９】
2005045323.tif 000011
【図１０】
2005045323.tif 000012
【図１１】
2005045323.tif 000013
【図１２】
2005045323.tif 000014
【図１３】
2005045323.tif 000015
【図１４】
2005045323.tif 000016
【図１５】
2005045323.tif 000017
【図１６】
2005045323.tif 000018
【図１７】
2005045323.tif 000019